(57)【要約】【課題】異なったタイプの信号が受信信号に含まれている場合に、アダプティブアレイ処理を実行する技術を提供する。【解決手段】前段フィルタ１４は、複数のアンテナ１０にそれぞれ対応づけられた複数の受信信号であって、かつＯＦＤＭ信号とＦＭ信号とが周波数分割多重された受信信号を入力する。後段フィルタ１６は、各受信信号のそれぞれを周波数領域に変換し、既知信号が配置されたサブキャリアとは別のサブキャリアにゼロを挿入した後に、ゼロを挿入した受信信号を時間領域に変換する。第１合成部１８は、後段フィルタ１６において変換した複数の受信信号に対するウエイトベクトルを導出するとともに、導出したウエイトベクトルを使用しながら、変換した複数の受信信号をアレイ合成する。第２合成部２０は、ウエイトベクトルを使用しながら、前段フィルタ１４からの複数の受信信号をアレイ合成する。【選択図】図１
2010273293.tif 000002
【特許請求の範囲】
【請求項１】
複数のアンテナにそれぞれ対応づけられた複数の受信信号であって、かつＯＦＤＭ信号とＦＭ信号とが周波数分割多重された受信信号を入力する入力部と、
前記入力部において入力した複数の受信信号のそれぞれを周波数領域に変換する第１変換部と、
前記第１変換部において変換した複数の受信信号のそれぞれのうち、ＯＦＤＭ信号の一部のサブキャリアに既知信号が配置されており、前記第１変換部において変換した複数の受信信号のそれぞれに対して、既知信号が配置されたサブキャリアとは別のサブキャリアにゼロを挿入する挿入部と、
前記挿入部においてゼロを挿入した複数の受信信号のそれぞれを時間領域に変換する第２変換部と、
前記第２変換部において変換した複数の受信信号に対するウエイトベクトルを導出するとともに、導出したウエイトベクトルを使用しながら、前記第２変換部において変換した複数の受信信号をアレイ合成する第１合成部と、
前記第１合成部において導出したウエイトベクトルを使用しながら、前記入力部において入力した複数の受信信号をアレイ合成する第２合成部と、
前記第２合成部におけるアレイ合成結果を出力する出力部と、
を備えることを特徴とする受信装置。
【請求項２】
前記入力部において入力した複数の受信信号のそれぞれでは、ＦＭ信号の低周波数側に第１ＯＦＤＭ信号が配置され、ＦＭ信号の高周波数側に第２ＯＦＤＭ信号が配置されており、
前記挿入部は、各受信信号に対して、第１ＯＦＤＭ信号のうちの既知信号が配置されたサブキャリアとは別のサブキャリア、ＦＭ信号に対応したサブキャリア、第２ＯＦＤＭ号信号のうちの既知信号が配置されたサブキャリアとは別のサブキャリアにゼロを挿入することを特徴とする請求項１に記載の受信装置。
【請求項３】
複数のアンテナにそれぞれ対応づけられた複数の受信信号であって、かつＯＦＤＭ信号とＦＭ信号とが周波数分割多重された受信信号を入力する入力部と、
前記入力部において入力した複数の受信信号のそれぞれに含まれたＯＦＤＭ信号の成分を低減するように、前記入力部において入力した複数の受信信号のそれぞれを帯域制限する帯域制限部と、
前記帯域制限部において帯域制限した複数の受信信号に対するウエイトベクトルを導出するとともに、導出したウエイトベクトルを使用しながら、前記帯域制限部において帯域制限した複数の受信信号をアレイ合成する第１合成部と、
前記第１合成部において導出したウエイトベクトルを使用しながら、前記入力部において入力した複数の受信信号をアレイ合成する第２合成部と、
前記第２合成部におけるアレイ合成結果を出力する出力部と、
を備えることを特徴とする受信装置。
【請求項４】
複数のアンテナと、
前記複数のアンテナにそれぞれ対応づけられた複数の受信信号であって、かつＯＦＤＭ信号とＦＭ信号とが周波数分割多重された受信信号のそれぞれを周波数領域に変換する第１変換部と、
前記第１変換部において変換した複数の受信信号のそれぞれのうち、ＯＦＤＭ信号の一部のサブキャリアに既知信号が配置されており、前記第１変換部において変換した複数の受信信号のそれぞれに対して、既知信号が配置されたサブキャリアとは別のサブキャリアにゼロを挿入する挿入部と、
前記挿入部においてゼロを挿入した複数の受信信号のそれぞれを時間領域に変換する第２変換部と、
前記第２変換部において変換した複数の受信信号に対するウエイトベクトルを導出するとともに、導出したウエイトベクトルを使用しながら、前記第２変換部において変換した複数の受信信号をアレイ合成する第１合成部と、
前記第１合成部において導出したウエイトベクトルを使用しながら、前記複数のアンテナにそれぞれ対応づけられた複数の受信信号をアレイ合成する第２合成部と、
前記第２合成部におけるアレイ合成結果を出力する出力部と、
を備えることを特徴とする受信装置。
【請求項５】
複数のアンテナと、
前記複数のアンテナにそれぞれ対応づけられた複数の受信信号であって、かつＯＦＤＭ信号とＦＭ信号とが周波数分割多重された受信信号のそれぞれに含まれたＯＦＤＭ信号の成分を低減するように、前記複数のアンテナにそれぞれ対応づけられた複数の受信信号のそれぞれを帯域制限する帯域制限部と、
前記帯域制限部において帯域制限した複数の受信信号に対するウエイトベクトルを導出するとともに、導出したウエイトベクトルを使用しながら、前記帯域制限部において帯域制限した複数の受信信号をアレイ合成する第１合成部と、
前記第１合成部において導出したウエイトベクトルを使用しながら、前記複数のアンテナにそれぞれ対応づけられた複数の受信信号をアレイ合成する第２合成部と、
前記第２合成部におけるアレイ合成結果を出力する出力部と、
を備えることを特徴とする受信装置。
【発明の詳細な説明】
【技術分野】
【０００１】
本発明は、受信技術に関し、特にアダプティブアレイアンテナにて信号を受信する受信装置に関する。
【背景技術】
【０００２】
アダプティブアンテナは、複数のアンテナをアレイ状にならべて配置し、指向性を電波環境の変化に合わせて動的に変更させる技術である。アダプティブアレイアンテナの機能は、アダプティブビームフォーミングとアダプティブヌルステアリングに分類される。アダプティブビームフォーミングでは、受信すべき信号の到来方向へメインビームが向けられる。アダプティブヌルステアリングでは、指向性パターンのヌルが干渉波の方向へ向けられる（例えば、非特許文献１参照）。
【先行技術文献】
【非特許文献】
【０００３】
【非特許文献１】菊間信良、アダプティブアレイアンテナ技術、日本、オーム社、２００３年１０月１０日、ｐ．１１−１９
【発明の概要】
【発明が解決しようとする課題】
【０００４】
ＦＭラジオ放送では、周波数変調（Ｆｒｅｑｕｅｎｃｙ  Ｍｏｄｕｌａｔｉｏｎ、以下「ＦＭ」という）方式による電波を使用して、会話や音楽などの音声信号が不特定多数のために放送されている。また、周波数変調は、搬送波の周波数の変化によって情報を伝達する。具体的には、情報を表す信号電圧によって搬送波の周波数が上下に変移される。その結果、搬送波の疎密によって信号が表される。周波数の最大値と最小値が最小周波数遷移として定義されており、例えば、電波法では、最大周波数遷移が±７５ｋＨｚと規定されている。さらに、電波法では、最大周波数遷移７５ｋＨｚと、信号波の周波数に対する１５ｋＨｚの制限をもとに、各ＦＭ放送局に対して、２００ｋＨｚ（±１００ｋＨｚ）までの占有周波数帯域幅が割り当てられている。
【０００５】
アナログテレビジョン放送からデジタルテレビジョン放送への移行のように、アナログラジオ放送からデジタルラジオ放送への移行が検討されている。移行のひとつの手段は、テレビジョン放送と同様に、アナログＦＭラジオ信号とは別個にデジタルラジオ信号を放送することである。一方、移行の別の手段は、アナログＦＭ信号にデジタルラジオ信号を付随させて放送することである。後者の場合は、アナログＦＭ信号とデジタルラジオ信号とを混合させた信号（以下、「ハイブリッド信号」という）が放送されるので、ハイブリッド放送といえる。ハイブリッド放送において、受信装置がデジタルラジオ信号を受信できる場合、高音質なデジタルデータが再生される。一方、受信装置がデジタルラジオ信号を受信できない場合、従来のアナログデータが再生される。そのため、ハイブリッド放送では、放送事業者や一般ユーザにとって、早急な設備投資が強いられない。このようなハイブリッド放送の受信特性を向上させるために、アダプティブアレイアンテナの使用が有効である。しかしながら、ハイブリッド放送には異なったタイプの信号が含まれている。そのため、異なったタイプの信号が含まれている場合でも、アダプティブアレイ処理を実行することが要求される。
【０００６】
本発明はこうした状況に鑑みてなされたものであり、その目的は、異なったタイプの信号が受信信号に含まれている場合に、アダプティブアレイ処理を実行する技術を提供することにある。
【課題を解決するための手段】
【０００７】
上記課題を解決するために、本発明のある態様の受信装置は、複数のアンテナにそれぞれ対応づけられた複数の受信信号であって、かつＯＦＤＭ信号とＦＭ信号とが周波数分割多重された受信信号を入力する入力部と、入力部において入力した複数の受信信号のそれぞれを周波数領域に変換する第１変換部と、第１変換部において変換した複数の受信信号のそれぞれのうち、ＯＦＤＭ信号の一部のサブキャリアに既知信号が配置されており、第１変換部において変換した複数の受信信号のそれぞれに対して、既知信号が配置されたサブキャリアとは別のサブキャリアにゼロを挿入する挿入部と、挿入部においてゼロを挿入した複数の受信信号のそれぞれを時間領域に変換する第２変換部と、第２変換部において変換した複数の受信信号に対するウエイトベクトルを導出するとともに、導出したウエイトベクトルを使用しながら、第２変換部において変換した複数の受信信号をアレイ合成する第１合成部と、第１合成部において導出したウエイトベクトルを使用しながら、入力部において入力した複数の受信信号をアレイ合成する第２合成部と、第２合成部におけるアレイ合成結果を出力する出力部と、を備える。
【０００８】
本発明の別の態様もまた、受信装置である。この装置は、複数のアンテナにそれぞれ対応づけられた複数の受信信号であって、かつＯＦＤＭ信号とＦＭ信号とが周波数分割多重された受信信号を入力する入力部と、入力部において入力した複数の受信信号のそれぞれに含まれたＯＦＤＭ信号の成分を低減するように、入力部において入力した複数の受信信号のそれぞれを帯域制限する帯域制限部と、帯域制限部において帯域制限した複数の受信信号に対するウエイトベクトルを導出するとともに、導出したウエイトベクトルを使用しながら、帯域制限部において帯域制限した複数の受信信号をアレイ合成する第１合成部と、第１合成部において導出したウエイトベクトルを使用しながら、入力部において入力した複数の受信信号をアレイ合成する第２合成部と、第２合成部におけるアレイ合成結果を出力する出力部と、を備える。
【０００９】
本発明のさらに別の態様もまた、受信装置である。この装置は、複数のアンテナと、複数のアンテナにそれぞれ対応づけられた複数の受信信号であって、かつＯＦＤＭ信号とＦＭ信号とが周波数分割多重された受信信号のそれぞれを周波数領域に変換する第１変換部と、第１変換部において変換した複数の受信信号のそれぞれのうち、ＯＦＤＭ信号の一部のサブキャリアに既知信号が配置されており、第１変換部において変換した複数の受信信号のそれぞれに対して、既知信号が配置されたサブキャリアとは別のサブキャリアにゼロを挿入する挿入部と、挿入部においてゼロを挿入した複数の受信信号のそれぞれを時間領域に変換する第２変換部と、第２変換部において変換した複数の受信信号に対するウエイトベクトルを導出するとともに、導出したウエイトベクトルを使用しながら、第２変換部において変換した複数の受信信号をアレイ合成する第１合成部と、第１合成部において導出したウエイトベクトルを使用しながら、複数のアンテナにそれぞれ対応づけられた複数の受信信号をアレイ合成する第２合成部と、第２合成部におけるアレイ合成結果を出力する出力部と、を備える。
【００１０】
本発明のさらに別の態様もまた、受信装置である。この装置は、複数のアンテナと、複数のアンテナにそれぞれ対応づけられた複数の受信信号であって、かつＯＦＤＭ信号とＦＭ信号とが周波数分割多重された受信信号のそれぞれに含まれたＯＦＤＭ信号の成分を低減するように、複数のアンテナにそれぞれ対応づけられた複数の受信信号のそれぞれを帯域制限する帯域制限部と、帯域制限部において帯域制限した複数の受信信号に対するウエイトベクトルを導出するとともに、導出したウエイトベクトルを使用しながら、帯域制限部において帯域制限した複数の受信信号をアレイ合成する第１合成部と、第１合成部において導出したウエイトベクトルを使用しながら、複数のアンテナにそれぞれ対応づけられた複数の受信信号をアレイ合成する第２合成部と、第２合成部におけるアレイ合成結果を出力する出力部と、を備える。
【００１１】
なお、以上の構成要素の任意の組合せ、本発明の表現を方法、装置、システム、記録媒体、コンピュータプログラムなどの間で変換したものもまた、本発明の態様として有効である。
【発明の効果】
【００１２】
本発明によれば、異なったタイプの信号が受信信号に含まれている場合に、アダプティブアレイ処理を実行できる。
【図面の簡単な説明】
【００１３】
【図１】本発明の実施例に係る受信装置の構成を示す図である。
【図２】図２（ａ）−（ｂ）は、図１の受信装置において受信される信号のスペクトルを示す図である。
【図３】図１の第１後段フィルタの構成を示す図である。
【図４】本発明の変形例に係る受信装置の構成を示す図である。
【発明を実施するための形態】
【００１４】
本発明を具体的に説明する前に、概要を述べる。本発明の実施例は、放送局から報知されたハイブリッド信号を受信する受信装置に関する。ハイブリッド信号では、ＯＦＤＭ信号とアナログＦＭ信号とが周波数分割多重されており、さらに具体的には、アナログＦＭ信号を挟むように低周波数側と高周波数側にＯＦＤＭ信号が配置されている。例えば、ＯＦＤＭ信号には、アナログＦＭ信号にて伝送される番組が格納される。また、ＯＦＤＭ信号に、付加情報が格納されてもよい。前述のごとく、アナログＦＭ信号のみを受信可能な受信装置は、アナログＦＭ信号を復調して、音声信号を再生する。一方、ＯＦＤＭ信号も受信可能な受信装置は、ＯＦＤＭ信号を復調して、音声信号や付加情報を再生する。このように異なったタイプの信号が含まれたハイブリッド信号に対してアダプティブアレイ処理を実行するために、本実施例に係る受信装置は、次の処理を実行する。
【００１５】
本実施例に係る受信装置は、ベースバンドの受信信号をふたつに分岐させる。一方の受信信号は、周波数領域の受信信号に変換され、周波数領域のＯＦＤＭ信号のうち、既知信号が配置されたサブキャリア成分が抽出される。ここで、既知信号は、予め定められたサブキャリアに配置されている。また、既知信号が配置されたサブキャリア成分の抽出は、それ以外のサブキャリア成分にゼロを挿入することに相当する。受信装置は、ゼロが挿入された受信信号を時間領域に変換し、これをもとに、ウエイトベクトルを導出する。また、受信装置は、導出したウエイトベクトルにて、他方の受信信号、つまりハイブリッド信号である受信信号をアレイ合成する。アレイ合成結果が復調される。
【００１６】
図１は、本発明の実施例に係る受信装置１００の構成を示す。受信装置１００は、アンテナ１０と総称される第１アンテナ１０ａ、第２アンテナ１０ｂ、ＲＦ部１２と総称される第１ＲＦ部１２ａ、第２ＲＦ部１２ｂ、前段フィルタ１４と総称される第１前段フィルタ１４ａ、第２前段フィルタ１４ｂ、後段フィルタ１６と総称される第１後段フィルタ１６ａ、第２後段フィルタ１６ｂ、第１合成部１８、第２合成部２０、復調部２２、制御部２４を含む。また、第１合成部１８は、ウエイト導出部３０、乗算部３２と総称される第１乗算部３２ａ、第２乗算部３２ｂ、加算部３４、同期検出部６０、記憶部６２を含み、第２合成部２０は、乗算部３６と総称される第１乗算部３６ａ、第２乗算部３６ｂ、加算部３８を含む。
【００１７】
複数のアンテナ１０のそれぞれは、図示しない放送局から報知された信号を受信する。アンテナ１０において受信された信号は、前述のハイブリッド信号である。図２（ａ）−（ｂ）は、受信装置１００において受信される信号のスペクトルを示す。図２（ａ）−（ｂ）において、横軸は周波数を示し、縦軸は電力を示す。図示のごとく、既存のアナログＦＭ信号の帯域内および両側のサイドバンドに、デジタル信号であるＯＦＤＭ信号が周波数分割多重されている。図２（ａ）では、アナログＦＭ信号が、ｆｃを中心周波数として、周波数ｆ１からｆ２の帯域に配置されている。
【００１８】
さらに、アナログＦＭ信号の低周波数側のサイドバンドに第１ＯＦＤＭ信号が配置され、高周波数側のサイドバンドに第２ＯＦＤＭ信号が配置されている。なお、第１ＯＦＤＭ信号と第２ＯＦＤＭ信号は、「ＯＦＤＭ信号」と総称される。ここで、第１ＯＦＤＭ信号は、周波数ｆＬからｆ１の帯域に配置され、第２ＯＦＤＭ信号は、周波数ｆ２からｆＵの帯域に配置されている。各ＯＦＤＭ信号は、複数のサブキャリアにて構成されている。また、複数のサブキャリアのうちの一部に既知信号が配置されている。ここで、既知信号が配置されているサブキャリアも予め定められている。
【００１９】
図２（ｂ）では、図２（ａ）と同様に、第１ＯＦＤＭ信号、アナログＦＭ信号、第２ＯＦＤＭ信号が配置されている。ここでは、さらに、第１ＯＦＤＭ信号の高周波数側に第１拡張信号が配置され、第２ＯＦＤＭ信号の低周波数側に第２拡張信号が配置される。第１拡張信号および第２拡張信号は、アナログＦＭ信号の帯域内に配置されており、第１ＯＦＤＭ信号と同様にＯＦＤＭ信号にて形成される。第１拡張信号は、周波数ｆ１からｆ３の帯域に配置され、第２拡張信号は、周波数ｆ４からｆ２の帯域に配置されている。なお、第１拡張信号と第２拡張信号は、「拡張信号」と総称される。拡張信号には、ＯＦＤＭ信号に格納されない情報が格納される。また、拡張信号のうちの一部のサブキャリアに既知信号が配置されてもよい。図１に戻る。
【００２０】
ＲＦ部１２は、アンテナ１０に１対１で対応づけられて配置される。ＲＦ部１２は、アンテナ１０において受信した信号（以下、「受信信号」という）を受けつける。ここで、受信信号は、無線周波数の信号である。ＲＦ部１２は、無線周波数の受信信号に対して周波数変換を実行し、ベースバンドの受信信号（以下、これ「受信信号」という）を生成する。一般的に、ベースバンドの信号は、同相成分と直交成分によって形成されるので、ふたつの信号線が示されるべきであるが、ここでは、図を明瞭にするためにひとつの信号線だけを示すものとする。また、ＲＦ部１２には、ＬＮＡ（Ｌｏｗ  Ｎｏｉｓｅ  Ａｍｐｌｉｆｉｅｒ）、ミキサ、ＡＤ変換器も含まれる。さらに、ＲＦ部１２は、受信信号を前段フィルタ１４へ出力する。
【００２１】
前段フィルタ１４は、ＲＦ部１２に１対１で対応づけられて配置され、ＲＦ部１２からの受信信号を受けつける。前段フィルタ１４は、受信信号を帯域制限する。例えば、前段フィルタ１４は、ローパスフィルタにて形成される。ここで、前段フィルタ１４は、受信信号に含まれた高調波成分を低減することを目的としているので、図２（ａ）−（ｂ）に示されたハイブリッド信号の全帯域を含むような帯域幅を有する。前段フィルタ１４は、帯域制限した受信信号（以下、これも「受信信号」という）を第２合成部２０と後段フィルタ１６へ出力する。
【００２２】
後段フィルタ１６は、各前段フィルタ１４に対して配置され、前段フィルタ１４からの受信信号を受けつける。後段フィルタ１６は、受信信号のうち、ＯＦＤＭ信号に含まれた既知信号の成分を抽出する。図３は、第１後段フィルタ１６ａの構成を示す。第１後段フィルタ１６ａは、ＦＦＴ部７０、挿入部７２、ＩＦＦＴ部７４を含む。また、第２後段フィルタ１６ｂも、図３と同様に構成される。ＦＦＴ部７０は、受信信号に対してＦＦＴを実行することによって、時間領域の受信信号を周波数領域の受信信号に変換する。その結果、図２（ａ）−（ｂ）におけるＯＦＤＭ信号や拡張信号は、複数のサブキャリアの成分に分割される。また、アナログＦＭ信号も、複数のサブキャリアに対応した周波数成分に分割される。説明の便宜上、複数のサブキャリアに対応した周波数成分も、サブキャリアの成分という。ＦＦＴ部７０は、周波数領域の受信信号を挿入部７２へ出力する。
【００２３】
挿入部７２は、ＦＦＴ部７０からの周波数領域の受信信号を受けつける。前述のごとく、受信信号のうち、ＯＦＤＭ信号に含まれた一部のサブキャリアに既知信号が配置されている。挿入部７２は、ＯＦＤＭ信号のうちの既知信号が配置されたサブキャリアとは別のサブキャリア、アナログＦＭ信号に対応したサブキャリアにゼロを挿入する。なお、拡張信号の一部のサブキャリアにも既知信号が配置されている場合、挿入部７２は、当該サブキャリアとは別のサブキャリアにもゼロを挿入する。これは、受信信号に含まれた既知信号を抽出することに相当する。挿入部７２は、ゼロを挿入した受信信号をＩＦＦＴ部７４へ出力する。ＩＦＦＴ部７４は、挿入部７２においてゼロを挿入した受信信号を受けつける。ＩＦＦＴ部７４は、受信信号に対してＩＦＦＴを実行することによって、周波数領域の受信信号を時間領域の受信信号に変換する。ＩＦＦＴ部７４は、時間領域の受信信号（以下、これも「受信信号」という）を第１合成部１８へ出力する。図１に戻る。
【００２４】
同期検出部６０は、後段フィルタ１６からの受信信号を受けつける。同期検出部６０は、受信信号に対する同期タイミングを検出する。例えば、同期検出部６０は、予め記憶した信号と受信信号との相関値を計算し、相関値がしきい値よりも大きくなった場合を同期タイミングとして検出する。同期検出部６０は、同期タイミングをウエイト導出部３０へ通知する。ウエイト導出部３０は、各後段フィルタ１６からの受信信号を受けつけるとともに、後述の制御部２４からのアレイ合成結果（以下、「第１アレイ合成結果」という）も受けつける。ウエイト導出部３０は、同期検出部６０からの同期タイミングを受けつけたタイミングを契機として、ＭＭＳＥ基準によるウエイトベクトルの導出を開始する。
【００２５】
前述のごとく、受信信号には、既知信号が配置されたサブキャリアの成分のみが含まれている。ウエイト導出部３０は、当該サブキャリアの成分に対応した理想信号波形パターンを予め記憶する。ウエイト導出部３０は、第１アレイ合成結果と理想信号波形パターンとを比較することによって誤差信号を生成するとともに、誤差信号を小さくするように受信信号を使用してウエイトベクトルを導出する。このように、ウエイト導出部３０は、ＬＭＳ（Ｌｅａｓｔ  Ｍｅａｎ  Ｓｑｕａｒｅ）アルゴリズムやＲＬＳ（Ｒｅｃｕｒｓｉｖｅ  Ｌｅａｓｔ  Ｓｑｕａｒｅ）アルゴリズム等の適応アルゴリズムを既知信号に適用することによってウエイトベクトルを導出する。
【００２６】
ウエイト導出部３０は、ウエイトベクトルを乗算部３２および乗算部３６へ出力する。乗算部３２は、後段フィルタ１６からの受信信号とウエイト導出部３０からのウエイトベクトルとを乗算し、加算部３４は、乗算部３２での乗算結果を加算する。加算した結果が、前述の第１アレイ合成結果に相当する。つまり、乗算部３２、加算部３４は、ウエイトベクトルを使用しながら、後段フィルタ１６からの受信信号をアレイ合成する。加算部３４は、第１アレイ合成結果をウエイト導出部３０へ出力する。
【００２７】
乗算部３６は、前段フィルタ１４からの受信信号、つまりハイブリッド信号と、ウエイト導出部３０からのウエイトベクトルとを乗算し、加算部３８は、乗算部３６での乗算結果を加算する。以下では、加算した結果を第２アレイ合成結果とよぶ。つまり、乗算部３６、加算部３８は、ウエイトベクトルを使用しながら、前段フィルタ１４からの受信信号をアレイ合成する。加算部３８は、第２アレイ合成結果を復調部２２へ出力する。復調部２２は、加算部３８からの第２アレイ合成結果を受けつけ、第２アレイ合成結果を復調する。ここで、第２アレイ合成結果は、ハイブリッド信号であるので、アナログＦＭ信号とＯＦＤＭ信号とを含む。復調部２２は、第２アレイ合成結果のうちのＯＦＤＭ信号を復調する。具体的には、復調部２２は、第２アレイ合成結果に対してＦＦＴを実行することによって、周波数領域の第２アレイ合成結果を生成する。
【００２８】
復調部２２は、周波数領域の第２アレイ合成結果からＯＦＤＭ信号に対応した複数のサブキャリア成分を抽出し、複数のサブキャリア成分を復調する。なお、第２アレイ合成結果に拡張信号が含まれている場合、復調部２２は、ＯＦＤＭ信号と同様に拡張信号も復調する。復調の結果が、例えば、音声信号や付加情報に相当する。なお、復調部２２は、第２アレイ合成結果に含まれたアナログＦＭ信号に対してアナログＦＭ復調を実行してもよい。アナログＦＭ復調には公知の技術が使用されればよいので、ここでは説明を省略する。復調部２２は、ＯＦＤＭ信号の復調によって取得された音声信号に、アナログＦＭ復調の結果の音声信号を合成してもよい。制御部２４は、受信装置１００全体のタイミングを制御する。
【００２９】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３０】
次に、本発明の変形例を説明する。変形例も、実施例と同様に、アダプティブアレイアンテナの構成を有し、かつハイブリッド信号を受信する受信装置に関する。実施例に係る受信装置は、ハイブリッド信号のうちのＯＦＤＭ信号、特に既知信号をもとにウエイトベクトルを導出し、ウエイトベクトルを使用してハイブリッド信号をアレイ合成している。しかしながら、変形例に係る受信装置は、ハイブリッド信号のうちのアナログＦＭ信号をもとにウエイトベクトルを導出し、ウエイトベクトルを使用してハイブリッド信号をアレイ合成する。アナログＦＭ信号を使用することによって、ＣＭＡ（Ｃｏｎｓｔａｎｔ  Ｍｏｄｕｌｕｓ  Ａｌｇｏｒｉｔｈｍ）が使用可能になるので、ウエイトベクトル導出のための既知信号が不要になる。
【００３１】
図４は、本発明の変形例に係る受信装置１００の構成を示す。受信装置１００は、アンテナ１０と総称される第１アンテナ１０ａ、第２アンテナ１０ｂ、ＲＦ部１２と総称される第１ＲＦ部１２ａ、第２ＲＦ部１２ｂ、前段フィルタ１４と総称される第１前段フィルタ１４ａ、第２前段フィルタ１４ｂ、後段フィルタ１６と総称される第１後段フィルタ１６ａ、第２後段フィルタ１６ｂ、第１合成部１８、第２合成部２０、復調部２２、制御部２４を含む。また、第１合成部１８は、ウエイト導出部３０、乗算部３２と総称される第１乗算部３２ａ、第２乗算部３２ｂ、加算部３４を含み、第２合成部２０は、乗算部３６と総称される第１乗算部３６ａ、第２乗算部３６ｂ、加算部３８を含む。ここでは、図１との差異を中心に説明する。
【００３２】
後段フィルタ１６は、各前段フィルタ１４に対して配置され、前段フィルタ１４からの受信信号を受けつける。後段フィルタ１６は、前段フィルタ１４と同様に、受信信号を帯域制限する。ここで、後段フィルタ１６は、受信信号に含まれたＯＦＤＭ信号とアナログＦＭ信号のうち、ＯＦＤＭ信号の成分を低減する。そのため、そのため、後段フィルタ１６の帯域幅は、前段フィルタ１４の帯域幅よりも狭い。後段フィルタ１６は、帯域制限した受信信号（以下、これも「受信信号」という）を第１合成部１８へ出力する。
【００３３】
ウエイト導出部３０は、各後段フィルタ１６からの受信信号を受けつけるとともに、後述の制御部２４からのアレイ合成結果（以下、「第１アレイ合成結果」という）も受けつける。ウエイト導出部３０は、ＣＭＡによって第１アレイ合成結果が一定の包絡線の大きさに近づくように、受信信号をもとに、ウエイトベクトルを導出する。その際、ＬＭＳアルゴリズムやＲＬＳアルゴリズム等の適応アルゴリズムが使用される。なお、ＣＭＡ、ＬＭＳアルゴリズム、ＲＬＳアルゴリズムとして公知の技術が使用されればよいので、ここでは説明を省略する。以上の処理の結果、ウエイト導出部３０は、ウエイトベクトルを乗算部３２および乗算部３６へ出力する。
【００３４】
本発明の実施例によれば、既知信号が配置されたサブキャリアとは別のサブキャリアの成分にゼロを挿入した信号に対してウエイトベクトルを導出するので、ＯＦＤＭ信号とアナログＦＭ信号とが混合された受信信号に対してもアダプティブアレイ処理を実行できる。また、ＯＦＤＭ信号とアナログＦＭ信号とが混合された受信信号に対してもアダプティブアレイ処理が実行されるので、受信特性を向上できる。また、アナログＦＭ信号の成分にゼロを挿入した後にウエイトベクトルを導出するので、アナログＦＭ信号の帯域にＯＦＤＭ信号が配置されることになっても、ウエイトベクトルを導出できる。
【００３５】
また、アナログＦＭ信号の帯域にＯＦＤＭ信号が配置されてもウエイトベクトルが導出されるので、全デジタル信号に対してもアダプティブアレイ処理を実行できる。また、信頼性の高いＯＦＤＭ信号に対してアダプティブアレイ処理が実行されるので、制御精度を向上できる。また、アナログＦＭ信号とＯＦＤＭ信号が含まれた受信信号のうち、アナログＦＭ信号に対してＣＭＡをもとにウエイトベクトルを導出するので、ＯＦＤＭ信号とアナログＦＭ信号とが混合された受信信号に対してもアダプティブアレイ処理を実行できる。また、ＣＭＡを実行するので、既知信号がなくてもアダプティブアレイ処理を実行できる。
【００３６】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００３７】
本発明の実施例において、ふたつのアンテナ１０が備えられている。しかしながらこれに限らず例えば、３つ以上のアンテナ１０が備えられてもよい。本変形例によれば、受信装置１００の構成の自由度を向上できる。
【符号の説明】
【００３８】
１０  アンテナ、  １２  ＲＦ部、  １４  前段フィルタ、  １６  後段フィルタ、  １８  第１合成部、  ２０  第２合成部、  ２２  復調部、  ２４  制御部、  ３０  ウエイト導出部、  ３２  乗算部、  ３４  加算部、  ３６  乗算部、  ３８  加算部、  ６０  同期検出部、  ６２  記憶部、  １００  受信装置。
【図１】
2010273293.tif 000003
【図２】
2010273293.tif 000004
【図３】
2010273293.tif 000005
【図４】
2010273293.tif 000006